(57)【要約】【課題】  冬季や夜間において冷たく不快に感じるユニット表面を暖かくして快適な生活を行えるようにすることができる蓄熱体ユニットを提供すること。【解決手段】  建物内部の区画された部屋内で一部の床を利用し設置するユニットであって、縦横に複数個配設された上端が開口した箱状の本体１１と、これら本体の上端開口を覆う蓋体１２とを具え、前記蓋体は、上下両面のいずれかの面側に蓄熱体１７を有し、該蓄熱体に蓄熱する際、蓄熱体のある面側が上面を向くように上下面が反転可能になっていることを特徴とする。【選択図】        図２
2005308268.tif 000002
【特許請求の範囲】
【請求項１】
建物内部の区画された部屋内で一部の床を利用し設置するユニットであって、縦横に複数個配設された上端が開口した箱状の本体と、これら本体の上端開口を覆う蓋体とを具え、前記蓋体は、上下両面のいずれかの面側に蓄熱体を有し、該蓄熱体に蓄熱する際、蓄熱体のある面側が上面を向くように上下面が反転可能になっていることを特徴とする蓄熱体ユニット。
【請求項２】
前記蓋体は、本体の上端開口部にヒンジ部材によって開閉可能に取付けられており、該ヒンジ部材で上下面が反転可能になっている請求項１記載の蓄熱体ユニット。
【請求項３】
前記本体の上端開口部の内側面に１対の枢支ピンが相対向する向きに設けられ、該枢支ピンに断面略コ字状のガイド凹溝を内向きに有するガイド部材が回動可能に取付けられ、このガイド部材のガイド凹溝に前記蓋体が取り外し可能に装着されている請求項２記載の蓄熱体ユニット。
【請求項４】
前記ガイド部材は、本体部と、該本体部の両端部に同向きに形成され、前記枢支ピンに取付けられる屈曲部とからなる平面略コ字状を呈し、これら本体部及び屈曲部の内側面にガイド凹溝が形成されており、該ガイド凹溝に前記蓋体の先端部及び両側部が摺動自在に嵌合して装着されている請求項３記載の蓄熱体ユニット。
【請求項５】
前記ガイド部材は、本体部と、該本体部の両端部に同向きに形成され、前記枢支ピンに取付けられる屈曲部とからなる平面略コ字状を呈し、これら本体部及び屈曲部の内側面にガイド凹溝が形成され、該ガイド凹溝に前記蓋体の先端部及び両側部が摺動自在に嵌合して装着されており、さらに屈曲部の外側面に枢支ピンが突出して設けられ、該枢支ピンが回動可能に係合する係合孔部が前記本体の上端開口部の内側面に１対、相対向して設けられ、枢支ピンが係合孔部に係合することにより蓋体が取り外し可能に装着されている請求項２記載の蓄熱体ユニット。
【請求項６】
前記蓋体は、本体の上端開口部に周設された受材にその周縁部が係合することによって載置されており、前記係合を解くことにより取り外され上下面が反転可能になっている請求項１記載の蓄熱体ユニット。
【請求項７】
蓄熱体のない面側に畳が配設されている請求項１ないし６のいずれかに記載の蓄熱体ユニット。
【請求項８】
蓄熱体のない面側に絨毯、フローリング、シート張りなど畳以外の床仕上げ材が配設されている請求項１ないし６のいずれかに記載の蓄熱体ユニット。
【請求項９】
建物内部で利用されるユニットであって、少なくとも人が一人座れる面積をもった座布団型の本体を有し、この本体の上下両面のいずれかの面側に蓄熱体を有し、該蓄熱体に蓄熱する際、蓄熱体のある面側が上面を向くように上下面が反転可能になっていることを特徴とする蓄熱体ユニット。
【発明の詳細な説明】
【技術分野】
【０００１】
この発明は、例えば建物のフロアー上に設置される畳床収納ボックスユニットなどの蓄熱体ユニットに関し、さらに詳しくは蓄熱体の蓄熱が容易で、四季に応じてその利用の便を高められるようにした前記ユニットに関するものである。
【背景技術】
【０００２】
近年、住宅は以前の和室中心の間取りからＬＤＫ形式の間取りに変化してきている。生活の中心はリビングであり、床はフローリングが一般的である。しかし、日本人の畳、和室に対する執着は依然強く、ＬＤＫ形式の間取りの中にも和室を一部屋以上設けることも多い。その中で、フロアー仕上げのリビング等の一部に設置する畳コーナーユニットは前述の要望を満たしつつ、限られた床面積を効率よく利用するものとして設置数は年々増加傾向にある。畳コーナーユニットは２畳から６畳程度の大きさが一般的であり、中には収納機能を有するものも考案されている（例えば、特許文献１参照。）。
【０００３】
【特許文献１】特開２００３−２２５１２７公報
【発明の開示】
【発明が解決しようとする課題】
【０００４】
ところで、一般的に人は、特に冬季は、日中は適度な温度や明るさの日射のあたる窓際で、夜間（夕）は冷気の入り口となる窓際から離れて生活する。しかしながら、窓際は生活の中心となるため、畳コーナーユニットはリビング内の窓から離れた位置に設置されることが多く、特に冬季に使用する場合、畳表面が冷たく不快を感じるという問題点があった。
【０００５】
そこでこの発明は、前記のような従来の問題点を解決し、日中、建物内の温度の高い箇所に、取り外した蓋体の蓄熱体のある面側が上面を向くように配置して蓄熱する一方、夜間に該蓋体を反転させて元の畳コーナーユニットに戻し取付けることで、電気等のエネルギーを使用することなく表面の快適を確保することができるようにすることを基本発想として考案したものであり、前記したように冬季や夜間において冷たく不快に感じるユニット表面を暖かくして快適な生活を行えるようにすることができる蓄熱体ユニットを提供することを目的とする。
【課題を解決するための手段】
【０００６】
前記目的を達成するため、請求項１に記載の発明は、建物内部の区画された部屋内で一部の床を利用し設置するユニットであって、縦横に複数個配設された上端が開口した箱状の本体と、これら本体の上端開口を覆う蓋体とを具え、前記蓋体は、上下両面のいずれかの面側に蓄熱体を有し、該蓄熱体に蓄熱する際、蓄熱体のある面側が上面を向くように上下面が反転可能になっていることを特徴とする。
【０００７】
請求項２に記載の発明は、請求項１において、前記蓋体は、本体の上端開口部にヒンジ部材によって開閉可能に取付けられており、該ヒンジ部材で上下面が反転可能になっていることを特徴とする。
【０００８】
請求項３に記載の発明は、請求項２において、前記本体の上端開口部の内側面に１対の枢支ピンが相対向する向きに設けられ、該枢支ピンに断面略コ字状のガイド凹溝を内向きに有するガイド部材が回動可能に取付けられ、このガイド部材のガイド凹溝に前記蓋体が取り外し可能に装着されていることを特徴とする。
【０００９】
請求項４に記載の発明は、請求項３において、前記ガイド部材は、本体部と、該本体部の両端部に同向きに形成され、前記枢支ピンに取付けられる屈曲部とからなる平面略コ字状を呈し、これら本体部及び屈曲部の内側面にガイド凹溝が形成されており、該ガイド凹溝に前記蓋体の先端部及び両側部が摺動自在に嵌合して装着されていることを特徴とする。
【００１０】
請求項５に記載の発明は、請求項２において、前記ガイド部材は、本体部と、該本体部の両端部に同向きに形成され、前記枢支ピンに取付けられる屈曲部とからなる平面略コ字状を呈し、これら本体部及び屈曲部の内側面にガイド凹溝が形成され、該ガイド凹溝に前記蓋体の先端部及び両側部が摺動自在に嵌合して装着されており、さらに屈曲部の外側面に枢支ピンが突出して設けられ、該枢支ピンが回動可能に係合する係合孔部が前記本体の上端開口部の内側面に１対、相対向して設けられ、枢支ピンが係合孔部に係合することにより蓋体が取り外し可能に装着されていることを特徴とする。
【００１１】
請求項６に記載の発明は、請求項１において、前記蓋体は、本体の上端開口部に周設された受材にその周縁部が係合することによって載置されており、前記係合を解くことにより取り外され上下面が反転可能になっていることを特徴とする。
【００１２】
請求項７に記載の発明は、請求項１ないし６のいずれかにおいて、蓄熱体のない面側に畳が配設されていることを特徴とする。請求項８に記載の発明は、請求項１ないし６のいずれかにおいて、蓄熱体のない面側に絨毯、フローリング、シート張りなど畳以外の床仕上げ材が配設されていることを特徴とする。請求項９に記載の発明は、建物内部で利用されるユニットであって、少なくとも人が一人座れる面積をもった座布団型の本体を有し、この本体の上下両面のいずれかの面側に蓄熱体を有し、該蓄熱体に蓄熱する際、蓄熱体のある面側が上面を向くように上下面が反転可能になっていることを特徴とする。
【発明の効果】
【００１３】
この発明は前記のように蓋体が、上下両面のいずれかの面側に蓄熱体を有し、該蓄熱体に蓄熱する際、蓄熱体のある面側が上面を向くように上下面が反転可能になっているので、冬季や夜間において従来とかく冷たく不快に感じるユニット表面を蓄熱体によって暖かくすることにより快適な生活を行えるようにすることができるという優れた効果がある。特に、蓄熱体として日中の太陽光の温度や建物内の温度を利用することにより、電気等のエネルギーを使用する必要もなく、省エネルギー化を図ることもできる。しかも、蓄熱体のある蓋体を簡単にユニットから取り外して蓄熱することができ、きわめて実用性の高いものである。
【発明を実施するための最良の形態】
【００１４】
この発明の実施の形態を、添付図面を参照して説明する。
【００１５】
（実施の形態１）
図１は４帖半の和室ユニットとしての畳床収納ボックスユニットを蓄熱体ユニット１の一例として示すもので、この蓄熱体ユニット１はリビング２の片隅に設置した入隅片寄せ形態（Ｌ型化粧）として設置されている。蓄熱体ユニット１は半帖正方形タイプ（850mm×850mm）の畳床収納ボックス３を縦横に３つずつ並べて配置している。図１において、４は蓄熱体ユニット１の隣接する２つの外側面が近接対向するように配置されるリビング２の２つの壁、５は壁見切で、幅木６をかわし壁４の面との隙間を無くすために設けられる。７は化粧けこみ板、８は前框、９は留前框としてのＬ形コーナー材を示す。
【００１６】
収納ボックス３は、図２にその一部を拡大断面で示すように上端開口の方形箱体１１と、この箱体の上端開口部の後端部にその後端部が後記ヒンジ部材で枢支されて前端部側から箱体１１の上端開口を開閉可能に取り付けられた蓋体１２とからなっている。箱体１１の底面全面には図示省略したが、滑り止めクッション材としてのラバーが張付けられている。隣接する収納ボックス３同士は上端部が図示省略した断面コ字状のジョイント金具の嵌合により、また下端部近くがリード穴１３を介して配設される図示省略したボルトナット等の止具により止められて連結されている。
【００１７】
蓋体１２は、図３，４にも示すように下地材１５と裏面仕上げ材１６との間に蓄熱体１７が複数個、下地材１５の下面に取付けられた枠材及び桟材１８でセパレートされて挟持して配設され、下地材１５の上面には畳１９が配設されている。下地材１５としては有孔合板が好ましく、また畳１９は軽量で薄いものが好ましいが、必ずしもこれに拘る必要もない。蓄熱体１７はプラスチック容器１７ａ内に蓄熱材１７ｂが収容されて構成されている。
【００１８】
一般に蓄熱体１７の蓄熱材１７ｂには、水、コンクリート、土等の顕熱蓄熱材と、無機水和塩やパラフィン有機物などの潜熱蓄熱材があり、顕熱蓄熱材は材の相変化（液体が固体になるなど）を伴わないのに対し、潜熱蓄熱材は相変化を伴うもので、蓄熱量が大きいことが特徴である。熱効率を考えると、潜熱蓄熱材のほうがベターであるが、この発明では、特に限定するものではない。
【００１９】
この発明で使用している蓄熱材の一例を説明する。すなわち、この発明では旭電化工業株式会社製のアデカサーモットＭシリーズの品番Ｍ−２５を使用しているが、この製品は潜熱利用型水和塩系蓄熱材（化学物質）で、蓄放熱特性に優れ、高潜熱密度（比重が大きく、高潜熱）で、耐久性に優れている。その物性特性（代表測定値）を示すと、外観（１５〜２０℃）は白色固体、凝固温度は２５℃、凝固潜熱量は159J/g、比熱（固体）は2.09J/g・℃、熱伝導率（固体）は2.26kJ/m・hr・℃、比重（２０℃）は1.23g/cm３、相変化時の体積変化率1.0vol％となっている。蓄熱原理としては、上記化学物質は固体から液体に融解する際に熱を吸収し、凝固する際には熱を放出するので、この潜熱特性を潜熱蓄熱材として利用し、蓄熱するものである。
【００２０】
前記のような蓋体１２は、図５に示すように収納ボックス３の箱体１１の上端開口部にヒンジ部材２１によって開閉可能に取付けられ、該ヒンジ部材でその上下面が反転可能になっているが、その機構について以下に説明する。すなわち、箱体１１の上端開口部の内側面に１対の枢支ピン２２が相対向する向きに設けられている。枢支ピン２２はビス等で取付けられた台座２３に設けられた円板２４のセンタに突出して設けられている。
【００２１】
２６は枢支ピン２２に回動可能に取付けられたガイド部材である。このガイド部材２６は、蓋体１２の幅相当の幅を有する本体部２７と、該本体部の両端部に同向きに形成され、枢支ピン２２に取付けられる屈曲部２８とからなる平面略コ字状を呈しており、これら本体部２７及び屈曲部２８の内側面に断面略コ字状のガイド凹溝２９が形成されている。蓋体１２は先端部及び両側部がガイド凹溝２９に摺動自在に嵌合して装着されることによりガイド部材２６に対して取り外し可能になっている。この実施の形態１では枢支ピン２２はそれ自体が回転可能になっていても、あるいはそれ自体は回転せず、ガイド部材２６が枢支ピン２２に対して回転可能になっていても、いずれでもよい。
【００２２】
前記のような蓄熱体ユニット１は、通常は図１に示すように蓋体１２が箱体１１の上端開口部を閉じて、上面の畳１９が現出した状態で使用に供される。このとき蓄熱体１７は蓋体１２の下面側にある。
【００２３】
しかして、四季のうち、蓄熱体１７の利用がさほど必要性がない春季や秋季はともかく、例えば冬季においてはその利用が期待されるのであるが、このようなとき、朝の蓄熱前には蓄熱材１７ｂの状態はあくまでも蓋体１２の利用にとどまり、蓄熱材１７ｂの温度は、部屋の温度と同等（１５℃程度）で熱の移動はない。
【００２４】
昼の蓄熱時には蓄熱体１７のある蓋体１２を図５（Ａ）のように持ち上げ、箱体１１の上端開口部をヒンジ部材２１を介して開くとともに、このような開放状態でガイド部材２６に対して引き出すことにより取り外し、日射の多い（温度の高い、２５〜３０℃程度）窓際へ移動し、そこで上下反転させて蓄熱体１７側が上面となるようにして置く。これにより蓄熱体１７の蓄熱材１７ｂは窓際の高い温度を吸収し（熱は室内から蓄熱材１７ｂへ移動）、蓄熱材１７ｂは温まる（２５℃程度）。尚、窓際温度はこれと反対に下がる（２５℃に近づく）ことになる。
【００２５】
晩の放熱時には蓄熱された蓋体１２を蓄熱体ユニット１に再び移動したうえ、蓄熱体１７側が下面となるようにしてガイド部材２６に差し込んで取付けるとともに、ヒンジ部材２１を介して箱体１１の上端開口部を閉じる。このときの部屋温度は１５〜２０℃程度であるが、蓄熱材１７ｂは２５℃を放熱し（熱は蓄熱材１７ｂから室内へ移動）、部屋は温まる。これに伴い蓄熱材温度は時間とともに下がっていく。これにより部屋が暖められ、かつ畳１９に接した人も適度に暖かくなって、従来のように不快に感じるようなことがなく、きわめて快適に過ごせるようになる。
【００２６】
前記のような使用は蓄熱体１７のある任意の蓋体１２について必要な箇所の任意の数、行うことができる。もし、壁４側でない蓋体１２が日差しの当るところであれば、あえて蓋体１２を窓際に移動する必要もなく、蓋体１２をヒンジ部材２１を介して上下反転させるだけでよい。反転により蓄熱体１７が上面となり、蓄熱し易い状態となるからである。
【００２７】
前記では蓄熱体１７の使用状況をメーンに説明したが、蓄熱体１７を利用する必要のないときは蓋体１２を前記のように持ち上げ、ヒンジ部材２１によって箱体１１の上端開口部を開閉して、その間に従前の通りに箱体１１内に収納した内容物を取り出すこともできる。
【００２８】
（実施の形態２）
図６は異なるヒンジ部材を用いた実施の形態２を示す。この実施の形態２ではガイド部材２６の屈曲部２８の外側面に枢支ピン３２が突出して設けられ、該枢支ピンの先端に円板３３が同心状に設けられている。一方、枢支ピン３２が回動可能に係合する係合孔部３５が前記箱体１１の上端開口部の内側面に１対、相対向して設けられている。係合孔部３５は円板３３を上方から差し込んで収納可能な上端開口のポケット部３６が実施の形態１と同様にビス等で取付けられた台座３７に設けられ、該ポケット部に枢支ピン３２を上方から摺動させてその下端縁に係合させる係合溝３８が切欠形成されている。この枢支ピン３２の係合溝３８の下端縁への係合により、ガイド部材２６の本体部２７及び屈曲部２８の内側面に形成された断面略コ字状のガイド凹溝２９に先端部及び両側部が摺動自在に嵌合して装着される蓋体１２がガイド部材２６を介して箱体１１の上端開口部に対して取り外し可能になっている。
【００２９】
この実施の形態２においては、蓋体１２をガイド部材２６とともに箱体１１の上端開口部から取り外し、この状態又は場合によってはガイド部材２６からも取り外した状態で窓際へ移動し、前記と同様にして蓄熱する。そして、蓄熱後には再び箱体１１の上端開口部に枢支ピン３２が係合孔部３５に係合するように蓋体１２を取付けることにより蓄熱を利用可能な状態にもたらすことができ、実施の形態１と同様な作用効果が期待できる。
【００３０】
（実施の形態３）
図７は前記のようなヒンジ部材を用いない実施の形態３を示すものである。この実施の形態３では箱体１１の上端開口部の内側面であって、該上端開口よりやや下方位置に受材４１を周設し、この受材上に蓋体１２の周縁が係合するように載置して収容することで、箱体１１の上端開口部を開閉可能にしており、蓋体１２を持ち上げるなどして、係合を解くことにより取り外され上下面が反転可能になっている。
【００３１】
この実施の形態３によっても実施の形態１，２と同様な作用効果が期待できる。
【００３２】
前記各実施の形態では蓄熱体ユニット１の例として畳床収納ボックスユニットを示したが、これは一例であって、蓄熱体１７を有するユニットであればこれに限られるものではなく、任意のユニットに応用することが可能である。また、ユニットとしても図示したボックス型ではなく、ボックスを持たないユニットでもよい。その一例として、例えば少なくとも人が一人座れる面積をもった座布団型の本体を有し、この本体の上下両面のいずれかの面側に蓄熱体を有するようなものでもよい。また、各実施の形態では蓋体１２の蓄熱体１７のない面側に畳１９を配設したが、畳１９に代えて絨毯、フローリング、シート張りなど畳以外の床仕上げ材を配設してもよい。また、ヒンジ部材２１として必ずしも図示したようなものでなくともよく、一般的な１対の金属板と枢軸からなるようなものでもよい。
【図面の簡単な説明】
【００３３】
【図１】この発明の実施の形態１の蓄熱体ユニットを概略斜視図である。
【図２】同上の蓄熱体ユニットの一部を示す拡大断面図である。
【図３】蓄熱体ユニットを構成する蓋体を示し、（Ａ）は図２のＡ−Ａ線で切断した断面図、（Ｂ）は平面図である。
【図４】蓋体の分解断面図である。
【図５】ヒンジ部材のある要部を示し、（Ａ）は縦断面図、（Ｂ）は平面図である。
【図６】実施の形態２の図５に相当する図面で、（Ａ）は縦断面図、（Ｂ）は平面図である。
【図７】実施の形態３を示し、（Ａ）は蓄熱体ユニットを構成する箱体の上端開口部と蓋体の取付け状態がわかる要部の縦断正面図、（Ｂ）はその平面図である。
【符号の説明】
【００３４】
１  蓄熱体ユニット                      ２  リビング
３  畳床収納ボックス                    １１  箱体
１２  蓋体                              １５  下地材
１６  裏面仕上げ材                      １７  蓄熱体
１８  枠材及び桟材                      １９  畳
２１  ヒンジ部材                        ２２，３２  枢支ピン
２３，３７  台座                        ２４，３３  円板
２６  ガイド部材                        ２７  本体部
２８  屈曲部                            ２９  ガイド凹溝
３５  係合孔部                          ３６  ポケット部
３８  係合溝                            ４１  受材
【図１】
2005308268.tif 000003
【図２】
2005308268.tif 000004
【図３】
2005308268.tif 000005
【図４】
2005308268.tif 000006
【図５】
2005308268.tif 000007
【図６】
2005308268.tif 000008
【図７】
2005308268.tif 000009